(57)【要約】【課題】  本発明は、吊り下げ杆体をフック内側に挿入しやすく、かつフック外側にも抜去しやすくし、しかも、通常の使用状態ではフックが吊り下げ杆体から脱落しない脱落防止機能付き衣類用ハンガーを提供する。【解決手段】  本発明の脱落防止機能付き衣類用ハンガーは、衣類を吊り下げるハンガー本体２の略上部中央にハンガー本体２を吊り下げ杆体Ｍに係止するためのフック３を連設した衣類用ハンガーにおいて、フック基部４にフック３の切欠開口部５を閉塞方向に付勢するように構成された可撓性の付勢アーム６を連設すると共に、付勢アーム６の先端部８は、フック３の自由端部９よりもフック３の湾曲外方に位置するようになる。【選択図】  図１
2010082066.tif 000002
【特許請求の範囲】
【請求項１】
衣類を吊り下げるハンガー本体の略上部中央にハンガーを吊り下げ杆体に係止するためのフックを連設した衣類用ハンガーにおいて、
フック基部にフックの切欠開口部を閉塞方向に付勢するように構成された可撓性の付勢アームを連設すると共に、
付勢アームの先端部は、フックの自由端部よりもフックの湾曲外方に位置するようになる
ことを特徴とする脱落防止機能付き衣類用ハンガー。
【請求項２】
付勢アームは、フック基部に基端を連設した線状バネよりなり、フックの切欠開口部を閉塞方向に付勢するように構成した
ことを特徴とする請求項１に記載の脱落防止機能付き衣類用ハンガー。
【請求項３】
付勢アームは、板状に形成し、フック基部に基端を枢支し、フック基部と付勢アームとの間に介設した付勢バネにより、フックの切欠開口部を閉塞方向に付勢するように構成した
ことを特徴とする請求項１に記載の脱落防止機能付き衣類用ハンガー。
【請求項４】
線状バネよりなる付勢アームの先端部は、フックの自由端部と交差しながらフックの湾曲外方に位置するように構成した
ことを特徴とする請求項２に記載の脱落防止機能付き衣類用ハンガー。
【請求項５】
板状の付勢アームは、先端部端面が上方を向いてフックの自由端部と交差しながらフックの湾曲外方に位置するように構成した
ことを特徴とする請求項３に記載の脱落防止機能付き衣類用ハンガー。
【発明の詳細な説明】
【技術分野】
【０００１】
本発明は、ハンガー吊り下げ杆体に衣類を掛けて吊るす際に用いる衣類用ハンガーに係り、詳しくは風や外力によってハンガー吊り下げ杆体から衣類用ハンガーが脱落するのを防止する脱落防止機能付き衣類用ハンガーに関する。
【背景技術】
【０００２】
従来、吊り下げ杆体からフック付きのハンガーが風等に揺られて落下しないように、脱落防止機能付きの衣類用ハンガーが多数考案されている。例えば、特許文献１に示すように、ハンガー本体の略中央に立設したフックの切欠開口部を一部閉塞する干渉体を復元自在に配設し、この干渉体が切欠開口部を一部閉塞している状態では吊り下げ杆体の抜け止めがなされるように構成している。
【０００３】
すなわち、フック内に吊り下げ杆体を挿入係合する場合は、干渉体が切欠開口部からフック内に傾倒して何ら支障とならず、フックを吊り下げ杆体から離脱する場合は、吊り下げ杆体と干渉しないように干渉体を内側へ傾倒して切欠開口部を開放状態として、吊り下げ杆体を切欠開口部から抜去するものである。フックを吊り下げ杆体に係合した状態では、干渉体が切欠開口部を一部閉塞して吊り下げ杆体が切欠開口部から抜去されるのを干渉し、フックの離脱を防止している。
【０００４】
【特許文献１】実用新案登録第３０８２７１５号公報
【発明の開示】
【発明が解決しようとする課題】
【０００５】
しかしながら、かかる従来の脱落防止機能付き衣類用ハンガーにおいては、吊り下げ杆体を切欠開口部からフック内側に挿入する場合は、干渉体の付勢による復元力を利用して一気に押込み挿入できるものの、フックを離脱する際の動作が煩雑であるため使用しづらい欠点があった。具体的には、フックの切欠開口部の干渉体は、フック内側方向には傾倒しやすいように付勢されているものの、反対方向、すなわち、切欠開口部を開放する方向には可及的に作動しないような一方向傾倒自在な構成としており、従って、吊り下げ杆体をフックから抜去するのが煩雑となる。仮に、干渉体が外側に傾倒して切欠開口部を容易に開口できるようにしたとすれば、風や衝撃で吊り下げ杆体がフックの切欠開口部から干渉体の障害に抗して容易に抜去されてしまうことになり、脱落防止の機能が果たせないおそれがある。
【０００６】
この本発明は、吊り下げ杆体をフック内側に挿入しやすく、かつフック外側にも抜去しやすくし、しかも、通常の使用状態ではフックが吊り下げ杆体から脱落しない脱落防止機能付き衣類用ハンガーを提供するものである。
【課題を解決するための手段】
【０００７】
上述の目的達成するため、請求項１に記載の発明は、衣類を吊り下げるハンガー本体の略上部中央にハンガーを吊り下げ杆体に係止するためのフックを連設した衣類用ハンガーにおいて、フック基部にフックの切欠開口部を閉塞方向に付勢するように構成された可撓性の付勢アームを連設すると共に、付勢アームの先端部は、フックの自由端部よりもフックの湾曲外方に位置するようになることを特徴としている。
【０００８】
請求項２に記載の発明は、前記請求項１に記載の発明において、付勢アームは、フック基部に基端を連設した線状バネよりなり、フックの切欠開口部を閉塞方向に付勢するように構成したことを特徴としている。
【０００９】
請求項３に記載の発明は、前記請求項１に記載の発明において、付勢アームは、板状に形成し、フック基部に基端を枢支し、フック基部と付勢アームとの間に介設した付勢バネにより、フックの切欠開口部を閉塞方向に付勢するように構成したことを特徴としている。
【００１０】
請求項４に記載の発明は、前記請求項２に記載の発明において、線状バネよりなる付勢アームの先端部は、フックの自由端部と交差しながらフックの湾曲外方に位置するように構成したことを特徴としている。
【００１１】
請求項５に記載の発明は、前記請求項３に記載の発明において、板状の付勢アームは、先端部端面が上方を向いてフックの自由端部と交差しながらフックの湾曲外方に位置するように構成したことを特徴としている。
【発明の効果】
【００１２】
本発明の請求項１に記載の脱落防止機能付き衣類用ハンガーによれば、衣類を吊り下げるハンガー本体の略上部中央にハンガーを吊り下げ杆体に係止するためのフックを連設した衣類用ハンガーにおいて、フック基部にフックの切欠開口部の閉塞方向に付勢するように構成された可撓性の付勢アームを連設すると共に、付勢アームの先端部は、フックの自由端部よりもフックの湾曲外方に位置するようになるので、付勢アームによりフックの切欠開口部を閉塞することができ、一旦、フック内側に挿入した吊り下げ杆体からフックは脱落しない。更には。付勢アームの先端部をフックの自由端部よりもフックの湾曲外方した位置するように構成しているので、フックの湾曲部外方の自由端部を上方より強く押し下げると、付勢アームは可撓性の素材特性によりフック外方へ湾曲してフックの切欠開口部が開放状態となり、吊り下げ杆体がその開口部分よりフック内側へ挿入されるようになる。他方、フックを吊り下げ杆体から離脱する場合は、吊り下げ杆体を付勢アーム方向に強く押圧すれば、付勢アームは切欠開口部を開放方向に変位し、切欠開口部は開放状態となって、フックを吊り下げ杆体から容易に離脱することができる効果がある。
【００１３】
さらに、本発明の請求項２に記載の脱落防止機能付き衣類用ハンガーによれば、付勢アームは、フック基部に基端を連設した線状バネよりなり、フックの切欠開口部を閉塞方向に付勢するように構成したので、ハンガーを吊り下げ杆体にフックを係止する作業が簡単であり、逆にハンガーを吊り下げ杆体から取外す作業も簡単となる効果がある。
【００１４】
さらに、本発明の請求項３に記載の脱落防止機能付き衣類用ハンガーによれば、付勢アームは、板状に形成し、フック基部に基端を枢支し、フック基部と付勢アームとの間に介設した付勢バネにより、フックの切欠開口部を閉塞方向に付勢するように構成したので、ハンガーを吊り下げ杆体にフックを係止する作業が簡単であり、逆にハンガーを吊り下げ杆体から取外す作業も簡単となる効果がある。さらに、屋外において長期に使用しても破損しにくい効果がある。
【００１５】
さらに、本発明の請求項４に記載の脱落防止機能付き衣類用ハンガーによれば、線状バネよりなる付勢アームの先端部は、フックの自由端部と交差しながらフックの湾曲外方に位置するように構成したので、上方に位置する吊り下げ杆体に付勢アームの先端部を接触させながらフック内の空間に容易に係合させることができる。
【００１６】
さらに、本発明の請求項５に記載の脱落防止機能付き衣類用ハンガーによれば、板状の付勢アームは、先端部端面が上方を向いてフックの自由端部と交差しながらフックの湾曲外方に位置するように構成したので、上方に位置する吊り下げ杆体に付勢アームの先端部端面を接触させながらフック内の空間に容易に係合させることができる。
【発明を実施するための最良の形態】
【００１７】
本発明に係る脱落防止機能付き衣類用ハンガーは、衣類を吊り下げるハンガー本体の略上部中央にハンガーを吊り下げ杆体に係止するためのフックを連設した衣類用ハンガーにおいて、フック基部にフックの切欠開口部を閉塞方向に付勢するように構成された可撓性の付勢アームを連設すると共に、付勢アームの先端部は、フックの自由端部よりもフックの湾曲外方に位置するようにしたものである。
【００１８】
また、付勢アームは、フック基部に基端を連設した線状バネよりなりフックの切欠開口部を閉塞方向に付勢するように構成したものである。
【００１９】
また、付勢アームは、板状に形成し、フック基部に基端を枢支し、フック基部と付勢アームとの間に介設した付勢バネにより、フックの切欠開口部を閉塞方向に付勢するように構成したものである。
【００２０】
また、線状バネよりなる付勢アームの先端部は、フックの自由端部と交差しながらフックの湾曲外方に位置するように構成したものである。
【００２１】
また、板状の付勢アームは、先端部端面が上方を向いてフックの自由端部と交差しながらフックの湾曲外方に位置するように構成したものである。
【００２２】
以下、本発明の脱落防止機能付き衣類用ハンガーを適用した実施例を図面に基づいて説明する。図１は本発明に係る実施形態の脱落防止機能付き衣類用ハンガーを示す斜視図、図２は本発明に係る実施形態の脱落防止機能付き衣類用ハンガーを示す斜視図、図３は本発明に係る実施形態の脱落防止機能付き衣類用ハンガーの使用形態を示す説明図、図４は本発明に係る実施形態の変形例の脱落防止機能付き衣類用ハンガーを示す斜視図、図５は本発明に係る他の実施形態の脱落防止機能付き衣類用ハンガーを示す斜視図、図６は本発明に係る他の実施形態の脱落防止機能付き衣類用ハンガーを示す斜視図、図７は本発明に係る他の実施形態の脱落防止機能付き衣類用ハンガーの使用形態を示す説明図である。
【００２３】
［実施例］
図１及び図２に示すように、本発明に係る実施形態の衣類用ハンガー１は、衣類を吊り下げる樹脂性のハンガー本体２の上部略中央にフック３を連設している。フック基部４には、フック３の切欠開口部５の閉塞方向に付勢するように構成された可撓性の線状バネよりなる付勢アーム６を連設して支軸部７に軸支している。
【００２４】
この付勢アーム６の先端部８は、フック３の自由端部９と交差しながら同フック３の自由端部９よりもフック３の湾曲外方に位置するように構成している。
【００２５】
具体的には、付勢アーム６は、先端部８を同フック３の自由端部９よりもフック３の湾曲外方に位置まで延伸した長さに形成し、中途部１０を屈曲して切欠開口部５を閉塞方向に付勢するように構成している。
【００２６】
すなわち、線状バネの付勢アーム６は、フック３の切欠開口部５を閉塞する方向に付勢されているものの、付勢アーム６の先端部８が上方を向いてフック３の自由端部９と交差しながらフック３の湾曲外方に位置する状態で付勢停止されるようにしている。
【００２７】
図３（ａ）に示すように、ハンガー本体２をフック３を介して吊り下げ杆体Ｍに係合する場合は、吊り下げ杆体Ｍをフック３の湾曲部１１外方の自由端部９及び付勢アーム６の先端部８に当接させる。
【００２８】
図３（ｂ）に示すように、フック３の湾曲部１１外方の自由端部９を上方より強く押し下げると、線状バネの付勢アーム６は可撓性の素材特性によりフック３外方へ湾曲してフック３の切欠開口部５が開放状態となる。すなわち、付勢アーム６は支軸部７を支点に線状バネの付勢力に抗して湾曲移動すると共に付勢アーム６は中途部１０が屈曲しているために同中途部１０が第２の支点に線状バネの付勢力に抗して湾曲移動することで、フック３の切欠開口部５を開放し、吊り下げ杆体Ｍをその開口部分Ｓよりフック３内側の係合空間１２に挿入することができる（図３（ｃ）参照）。このとき、吊り下げ杆体Ｍにフック３を取付けるときの衝撃のエネルギーは、付勢アーム６の８先端部８が外方へ移動することで弱めることができ、吊り下げ杆体Ｍがフック３の内周部と当接することで消滅する。
【００２９】
他方、フック３を吊り下げ杆体Ｍから離脱する場合は、吊り下げ杆体Ｍを付勢アーム６方向に強く押圧すれば、付勢アーム６は切欠開口部５を開放方向に変位し、切欠開口部５は開放状態となって、フック３を吊り下げ杆体Ｍから容易に離脱することができる効果がある。
【００３０】
衣類用ハンガー１は、ハンガー本体２を片手で把持して、例えば上方に位置する吊り下げ杆体Ｍに付勢アーム６の先端部８を接触させながらフック３内側の係合空間１２に容易に係合させることができる。そして、吊り下げ杆体Ｍから衣類用ハンガー１を取外す際もハンガー本体２を片手で把持して、フック３内側の係合空間１２から付勢アーム６を容易に開放状態にして取り外しことが可能となる効果がある。
【００３１】
なお、付勢アーム６は、ハンガー本体２の上部に挿通孔を設けると共にハンガー本体２の上部に同付勢アーム６基端の所定の長さ分を固着した支軸部７を備えるようにしてもよい。
【００３２】
図４は変形例を示すものであり、線状バネの付勢アーム１６は中途部で屈曲することなく、直線形状に形成している。
【００３３】
このハンガー本体２をフック３を介して吊り下げ杆体Ｍに係合する際、フック３の湾曲部１１外方の自由端部９を上方より強く押し下げると、線状バネの付勢アーム１６は可撓性の素材特性によりフック３外方へ湾曲してフック３の切欠開口部５が開放状態となる。すなわち、付勢アーム１６は支軸部７を支点に線状バネの付勢力に抗して湾曲移動することで、フック３の切欠開口部５を開放し、吊り下げ杆体Ｍをその開口部分Ｓよりフック３内側の係合空間１２に挿入することができる。衣類用ハンガー１’は、上述した衣類用ハンガー１より安価に製造することが可能となる効果がある。
【００３４】
図５から図７は他の実施例を示すものであり、ハンガー本体２２の略上部中央には、フック２３を連設している。フック基部２４は、板状の付勢アーム２６の略中央部２６ａに位置する箇所が抜去されている。板状の付勢アーム２６は一定の肉厚を有しており、先端部端面２６ｆはやや湾曲面としており、先端部端面２６ｆがフック２３の湾曲外方に位置し、かつ先端部２６ｅはフック２３の自由端部２９と交差するように構成している。
【００３５】
板状の付勢アーム２６の中央部２６ａとフック基部２４との枢支部３０には、巻バネ３１の中央巻き部３２を枢支し、巻バネ３１の一端の自由端３３は付勢アーム２６の先端部分２６ｂに固定し、他端の自由端３４はハンガー本体２２の中央部２２ａ、或はフック基部２４に固定しており、巻バネ３１の付勢力は板状の付勢アーム２６をフック２３の切欠開口部２５を閉塞方向へ作用する。
【００３６】
しかも、板状の付勢アーム２６の下端部２６ｃは湾曲状に形成し、湾曲底部２６ｄの一端はハンガー本体２２の中央部２２ａ或はフック基部２４に突設した係合片３５と係合自在に構成されており、さらに、その係合位置は、板状の付勢アーム２６が巻バネ３１によりフック２３の切欠開口部２５方向に付勢され、かつ先端部端面２６ｆが上方を向いてフック２３の自由端部２９と交差しながらフック２３の湾曲外方に位置するような係合片位置に特定している。
【００３７】
すなわち、板状の付勢アーム２６は、巻バネ３１によりフック２３の切欠開口部２５を閉塞する方向に付勢されているものの、係合片３５により付勢アーム２６の先端部端面２６ｆが上方を向いてフック２３の自由端部２９と交差しながらフック２３の湾曲外方に位置する状態で付勢停止されるようにしている。
【００３８】
しかも、フック２３の切欠開口部２５から吊り下げ杆体Ｍを挿入するために板状の付勢アーム２６を枢支部３０を中心にフック２３外方に大きく傾倒する場合は係合片３５がフック２３の下端部２６ｃと回動変位して支障とならないように係合片３５の位置と付勢アーム２６の下端部２６ｃの湾曲形状とを考慮している。
【００３９】
具体的には、付勢アーム２６の下端部２６ｃの底辺形状を凹状湾曲とし、その一側端に係合片３５が係合する状態とし、その一側端から他側端にかけては付勢アーム２６の下端部２６ｃの回動にもかかわらず係合片３５と干渉しないように凹状の円弧形状としている。
【００４０】
他の実施例の衣類用ハンガー２１は上記のように構成されているのでハンガー本体２２をフック２３を介して吊り下げ杆体Ｍに係合する場合は、吊り下げ杆体Ｍを先端部端面２６ｆに当接して下方に押下げると、付勢アーム２６は中央の枢支部３０を中心に巻バネ３１の付勢力に抗して回動し、フック２３の切欠開口部２５を開放し、吊り下げ杆体Ｍをフック２３内に挿入することができる。
【００４１】
他方、フック２３開口部分Ｓから吊り下げ杆体Ｍを抜去するときには板状の付勢アーム２６を枢支部３０を中心に外方に傾倒させるように押し当てるとフック２３の切欠開口部２５は開口し、容易に吊り下げ杆体Ｍの抜去が行えるものである。一端開口したフック２３の切欠開口部２５は、付勢アーム２６の付勢復元力により、元通り係合片３５との係合位置で停止し通常の形態になる。
【図面の簡単な説明】
【００４２】
【図１】本発明に係る実施形態の脱落防止機能付き衣類用ハンガーを示す斜視図である。
【図２】本発明に係る実施形態の脱落防止機能付き衣類用ハンガーを示す斜視図である。
【図３】本発明に係る実施形態の脱落防止機能付き衣類用ハンガーの使用形態を示す説明図である。
【図４】本発明に係る実施形態の変形例の脱落防止機能付き衣類用ハンガーを示す斜視図である。
【図５】本発明に係る他の実施形態の脱落防止機能付き衣類用ハンガーを示す斜視図である。
【図６】本発明に係る他の実施形態の脱落防止機能付き衣類用ハンガーを示す斜視図である。
【図７】本発明に係る他の実施形態の脱落防止機能付き衣類用ハンガーの使用形態を示す説明図である。
【符号の説明】
【００４３】
Ｍ  吊り下げ杆体
１，１’，２１  衣類用ハンガー
２，２２  ハンガー本体
３，２３  フック
４，２４  フック基部
５，２５  切欠開口部
６，２６  付勢アーム
７  支軸部
８  先端部
９，２９  自由端部
１０  中途部
１１  湾曲部
１２  係合空間
３０  枢支部
３１  巻バネ
３２  中央巻き部
３３  一端の自由端
３４  他端の自由端
３５  係合片
【図１】
2010082066.tif 000003
【図２】
2010082066.tif 000004
【図３】
2010082066.tif 000005
【図４】
2010082066.tif 000006
【図５】
2010082066.tif 000007
【図６】
2010082066.tif 000008
【図７】
2010082066.tif 000009